(57)【要約】【課題】入力端子と出力端子との間がインピーダンス整合が取られるような接続構造にするとともに、特別の構造の取付枠を設けることなく、簡単な構造で取付枠に対して回動可能に端子本体が取り付けられ、かつ安価なテレビ用アンテナ端子装置を提供する。【解決手段】本発明のテレビ用アンテナ端子装置は、入力コネクタ１０の外部導体１１と出力コネクタ３０の外部導体３１が端子本体２０を構成する金属ケース２１に接続固定されているとともに、端子本体２０内の中心部に配設された導体に入力コネクタ０の中心導体と出力コネクタ３の中心導体とが接続されている。そして、入力コネクタ１０と出力コネクタ３０との間の伝送線路のインピーダンス整合が取られており、入力コネクタ１０の外部導体１１と端子本体２０の金属ケース２は一体的に形成されていて、入力コネクタ１０は取付枠４０に対して回動可能に取り付けられている。【選択図】  図１
2005222804.tif 000002
【特許請求の範囲】
【請求項１】
テレビ信号が入力される入力コネクタと、入力されたテレビ信号をテレビ側に出力するとともに該入力コネクタに対して略垂直方向に配置された出力コネクタと、これらの両コネクタを接続固定する端子本体と、該端子本体を取り付ける取付枠とを備えたテレビ用アンテナ端子装置であって、
前記入力コネクタの外部導体と前記出力コネクタの外部導体が前記端子本体を構成する金属ケースに接続固定されているとともに、前記端子本体内の中心部に配設された導体に前記入力コネクタの中心導体と前記出力コネクタの中心導体とが接続されて、前記入力コネクタと前記出力コネクタ間の伝送線路のインピーダンス整合が取られており、
前記入力コネクタの外部導体と前記端子本体の金属ケースは一体的に形成されていて、該入力コネクタは前記取付枠に対して回動可能に取り付けられていることを特徴とするテレビ用アンテナ端子装置。
【請求項２】
前記端子本体内の中心部に配設された導体はプリント基板に形成された銅箔線であって、
前記銅箔線が形成されたプリント基板が前記金属ケース内の中心部に配設されているとともに、
前記銅箔線に前記入力コネクタおよび前記前記出力コネクタの中心導体が半田付けあるいはバネコンタクトにより接続されていることを特徴とする請求項１に記載のテレビ用アンテナ端子装置。
【請求項３】
前記取付枠の前記端子本体の取付側の４つの角部に該取付枠より突出する４つの突起部を備えるとともに、前記端子本体の前記出力コネクタ接続側の端部に鍔部とこの鍔部と一体的に形成されて該鍔部より延出する一対の羽根部とを備え、前記端子本体を前記取付枠に対して回動させた際に、前記羽根部の両端部が対角線上の一対の前記突起部に当たるように設定されていて、前記入力コネクタの回動角度が規制されていることを特徴とする請求項１または請求項２に記載のテレビ用アンテナ端子装置。
【請求項４】
前記出力コネクタの前記端子本体への取付側の端部に多角形状の取付座板を備え、
前記鍔部の中心部に前記取付座板の大きさに一致する多角形状の貫通孔が設けられているとともに前記鍔部の裏面の該貫通孔の周囲に前記取付座板を固定するための固定座を備えたことを特徴とする請求項３に記載のテレビ用アンテナ端子装置。
【請求項５】
前記多角形状の貫通孔の相隣接する頂角の中間部に前記固定座の頂角が存在するように該固定座が形成されていることを特徴とする請求項４に記載のテレビ用アンテナ端子装置。
【請求項６】
前記出力コネクタの表面に形成されたねじ部に螺合するナットの表面にＯ−リングを介在させて該ナットを前記出力コネクタに螺合することにより前記出力コネクタを前記取付枠に固定したことを特徴とする請求項３から請求項５のいずれかに記載のテレビ用アンテナ端子装置。
【請求項７】
前記Ｏ−リングは前記ナットのねじ部の外周壁に形成された環状溝にはめ込まれていることを特徴とする請求項３から請求項６のいずれかに記載のテレビ用アンテナ端子装置。
【請求項８】
前記出力コネクタ内に同軸ケーブルの先端に設けられた同軸プラグが接続されないときに自動的に終端されるダミー抵抗が内蔵されていることを特徴とする請求項１から請求項７のいずれかに記載のテレビ用アンテナ端子装置。
【発明の詳細な説明】
【技術分野】
【０００１】
本発明は、テレビ信号が入力される入力コネクタと、入力されたテレビ信号をテレビ側に出力するとともに、この入力コネクタに対して略垂直方向に配置された出力コネクタと、これらの両コネクタを接続固定する端子本体と、この端子本体を取り付ける取付枠とを備えたテレビ用アンテナ端子装置に関するものである。
【背景技術】
【０００２】
従来より、テレビ信号をアンテナからテレビに供給するための端子を室内の壁面に設ける場合、規格化された埋め込み型の配線用のスイッチボックスが広く用いられている。この場合、壁面の内部に埋め込まれたスイッチボックスに、アンテナ側から送られてくる信号を入力するための入力端子と、入力された信号をテレビ側に出力するための出力端子とを備えた端子ユニットが取付枠を介して取り付けられることが多い。
【０００３】
この種の端子ユニットとしては、図１０に示される端子ユニットが特許文献１にて提案されている。この特許文献１にて提案された端子ユニット９１においては、出力端子９１ａと入力端子９１ｂの軸線が略直交するように形成されている。ところが、出力端子９１ａと入力端子９１ｂの軸線が略直交するような構成の端子ユニット９１を、例えば、図１１に示すように、規格化された配線用のスイッチボックス９０内に取り付ける場合に、高周波伝送特性が劣化したり、同軸ケーブルの芯線や編組線が断線するという問題が生じた。
【０００４】
これは以下の理由による。即ち、このようなスイッチボックス９０では、上面９０ａと下面９０ｂのそれぞれ中央部に取付枠やフラッシュプレートをネジ止めするための雌ネジ部９２，９２が設けられて、ケーブル等を外部からスイッチボックス９０内に導入するための引き込み口９３がスイッチボックス９０の上面９０ａ若しくは下面９０ｂの中央から左右いずれかにずれた位置に設けられている。このため、入力端子９１ｂがスイッチボックス９０の雌ネジ部９２に向かって開口している場合は、引き込み口９３と入力端子９１ｂの開口方向とのずれによって、この入力端子９１ｂに接続されたアンテナ側の同軸ケーブル９４に屈曲部９４ａ，９４ｂが形成される。これにより、高周波伝送特性が劣化したり、同軸ケーブルの芯線や編組線が断線するという問題が生じた。
【０００５】
そこで、図１２に示される端子ユニット９５が特許文献２にて提案されるようになった。この特許文献２にて提案された端子ユニット９５においては、コネクタ９６の入力端子９６ａと出力端子９６ｂには、ともにＦ型接栓用の受け口が形成され、コネクタ９６は、入力端子９６ａと出力端子９６ｂの軸線が互いに略直交するよう形成されるとともに、ホルダー９７に設けられた挿通孔９８に出力端子９６ｂの胴部９６ｂ−１を枢着することによりホルダー９７に保持され、ホルダー９７とコネクタ９６の枢着部には、コネクタ９６のホルダー９７に対する回動を数段階に固定できる係合手段が設けられている。
【０００６】
これにより、スイッチボックス内における端子ユニットの入力端子へのアンテナ側の同軸ケーブルの接続が容易になるとともに、芯線の露出によるノイズの混入を防止できるようになる。また、奥行寸法の大きなスイッチボックスを用いることなしに、スイッチボックス内においてアンテナ側同軸ケーブルの屈曲部分が形成されることを回避できるようになって、高周波伝送特性の劣化や同軸ケーブルの芯線や編組線の断線を防止できる端子ユニットが得られる。
【特許文献１】特開平６−３３３６４６号公報
【特許文献２】実登３０３９９５０号公報
【特許文献３】特許２９７８１４４号公報
【発明の開示】
【発明が解決しようとする課題】
【０００７】
ところが、Ｆ型接栓用の受け口を備えた入力端子と出力端子の軸線が互いに略直交するよう形成された端子ユニットにおいて、入力端子から出力端子までを同軸構造となるように形成することは困難であるため、入力端子と出力端子との間のインピーダンス整合が取られるような接続構造とすることは困難であった。また、上述した特許文献２に示される端子ユニットにおいては、ホルダー９７はホルダー本体９７ａに附属片９７ｂを嵌合することによって形成されるため、ホルダー部材が２部材になって製造が複雑になるとともに、出力端子９６ｂにＦ型接栓プラグをねじ込んだ際に過剰なねじ込み力が付与された場合に、附属片９７ｂがホルダー本体９７ａから外れる恐れが生じた。
【０００８】
また、上述した特許文献２に示される端子ユニットにおいては、コネクタ９６とホルダー９７の係合手段として、出力端子９６ｂの胴部９６ｂ−１に円形のフランジ９６ｂ−２が形成され、このフランジ９６ｂ−２の下面の一部には、ホルダー本体底部９７ａ−１に形成された回動抑止用凸部９７ａ−２に係合する切欠部（図示せず）を設けるとともに、半球状の係合凸部９７ａ−３に係合する係合凹部（図示せず）を設けるようにしている。このため、このような切欠部と係合凹部とを備えたフランジ９６ｂ−２を出力端子９６ｂの胴部９６ｂ−１に形成し、かつこのような出力端子９６ｂを備えたコネクタ９６を製造するのが複雑で、高価になるという問題も生じた。
【０００９】
そこで、本発明は上記の問題点を解消するためになされたものであって、入力端子と出力端子との間のインピーダンス整合が容易に取られるような接続構造にするとともに、特別の構造の取付枠を設けることなく、簡単な構造で取付枠に対して回動可能に端子本体が取り付けられ、かつ安価なテレビ用アンテナ端子装置を提供することを目的としている。
【課題を解決するための手段】
【００１０】
上記目的を達成するため、本発明のテレビ用アンテナ端子装置は、入力コネクタの外部導体と出力コネクタの外部導体が端子本体を構成する金属ケースに接続固定されているとともに、端子本体内の中心部に配設された導体に入力コネクタの中心導体と出力コネクタの中心導体とが接続されて、入力コネクタと出力コネクタ間の伝送線路のインピーダンス整合が取られており、入力コネクタの外部導体と端子本体の金属ケースは一体的に形成されていて、該入力コネクタは取付枠に対して回動可能に取り付けられていることを特徴とする。
【００１１】
このように、入力コネクタの外部導体と出力コネクタの外部導体が端子本体を構成する金属ケースに接続固定され、かつ端子本体内の中心部に配設された導体に入力コネクタの中心導体と出力コネクタの中心導体とが接続されていると、入力コネクタと出力コネクタ間の伝送線路のインピーダンス整合が取れるようになる。これにより、インピーダンス不整合に起因するテレビ雑音等の発生を防止できるようになる。また、特別の構造の取付枠を設けることなく、簡単な構造で取付枠に対して回動可能に端子本体が取り付けられるので、この種のテレビ用アンテナ端子装置を安価に提供できる。
【００１２】
この場合、端子本体内の中心部に配設された導体はプリント基板に形成された銅箔線であって、この銅箔線が形成されたプリント基板が金属ケース内の中心部に配設されているとともに、銅箔線に入力コネクタおよび出力コネクタの中心導体が半田付けあるいはバネコンタクトにより接続されているのが好ましい。これは、端子本体内の中心部に配設された導体がプリント基板に形成された銅箔線であると、入力コネクタの中心導体と銅箔線との接続および出力コネクタの中心導体と銅箔線との接続が容易になり、この種のテレビ用アンテナ端子装置の製造が容易になるからである。
【００１３】
また、取付枠の端子本体の取付側の４つの角部にこの取付枠より突出する４つの突起部を備えるともに、端子本体の出力コネクタ接続側の端部に該出力コネクタの底面の径よりも大径な大径部とこの大径部より突出する一対の突出部とからなる鍔部を備え、かつ、端子本体を取付枠に対して回動させた際に、鍔部の両端部が突起部の対角線上の一対の突起部に当たるように設定されていると、入力コネクタの回動角度を規制するのが容易になるので好ましい。
【００１４】
また、出力コネクタの端子本体への取付側の端部に多角形状の取付座板を備え、鍔部の中心部に取付座板の大きさに一致する多角形状の貫通孔が設けられているとともに鍔部の裏面の該貫通孔の周囲に取付座板を固定するための固定座を備えていると、出力コネクタのを取付座板を鍔部の中心部に設けられた貫通孔に挿通することか可能となる。そして、多角形状の貫通孔の相隣接する頂角の中間部に固定座の頂角が存在するように該固定座が形成されていると、貫通孔に挿通された取付座板を固定座の所定の位置に容易に載置できるようになるので好ましい。この場合、多角形は四角形あるいは六角形であるのが望ましい。
【００１５】
また、出力コネクタの表面に形成されたねじ部に螺合するナットの表面にＯ−リングを介在させて該ナットを出力コネクタに螺合させて出力コネクタを取付枠に固定するようすると、取付枠と出力コネクタがＯ−リングを介して適度の摩擦力が得られるようになるので、取付枠に取り付けられた端子本体を抵抗感を感じながら回動させることができるようになる。この場合、Ｏ−リングはナットのねじ部の外周壁に形成された環状溝にはめ込まれているのが望ましい。
【００１６】
さらに、出力コネクタ内に同軸ケーブルの先端に設けられた同軸プラグが接続されないときに自動的に終端されるダミー抵抗が内蔵されていると、この種のテレビ用アンテナ端子装置をＣＡＴＶ用のテレビ用アンテナ端子装置に用いた場合であっても、流合雑音の発生を防止できるようになる。
【発明を実施するための最良の形態】
【００１７】
以下に、本発明のテレビ用アンテナ端子装置の一実施の形態を図１乃至図７に基づいて説明する。なお、図１は本発明のテレビ用アンテナ端子装置を示す分解斜視図である。また、図２は入力コネクタの外部導体が一体的に形成された端子本体を示す図であり、（ａ）はその正面図であり、（ｂ）は（ａ）のＡ−Ａ断面を示す断面図であり、（ｃ）はその左側面図である。図３は出力コネクタを示す図であり、（ａ）はその正面図であり、（ｂ）はその右側面図であり、（ｃ）はその左側面図である。図４は取付枠を示す図であり、（ａ）はその正面図であり、（ｂ）はその右側面図であり、（ｃ）はその左側面図であり、（ｄ）はその上面図であり、（ｅ）はその下面図であり、（ｆ）はその裏面図である。
【００１８】
図５は出力コネクタを取付枠に取り付けるためのナットを示す図であり、（ａ）はその正面図であり、（ｂ）はその右側面図であり、（ｃ）はその左側面図であり、（ｄ）はその上面図であり、（ｅ）はその下面図であり、（ｆ）はその裏面図である。図６は出力コネクタが固着された端子本体が取付枠に取り付けられその一部が破断された状態を示す図である。図７は取付枠に取り付けられた端子本体が回動した様子を示す図であり、（ａ）は入力コネクタの軸心が取付枠の長さ方向に対して垂直に取り付けられた状態を示す正面図であり、（ｂ）は入力コネクタの軸心が取付枠の長さ方向に対して＋３０°だけ回動した状態を示す正面図であり、（ｃ）は入力コネクタの軸心が取付枠の長さ方向に対して−３０°だけ回動した状態を示す正面図である。
【００１９】
本発明のテレビ用アンテナ端子装置Ａは、テレビ信号が入力される入力コネクタ１０と、入力されたテレビ信号をテレビ側に出力するとともに入力コネクタ１０に対して略垂直方向に配置された出力コネクタ３０と、これらの両コネクタ１０，３０を接続固定する端子本体２０と、この端子本体２０を固定する取付枠４０と、Ｏ−リング５５を介して端子本体２０を取付枠４０に回動可能に取り付けるナット５０とから構成される。なお、入力コネクタ１０と端子本体２０は後述するように一体的に形成されている。
【００２０】
入力コネクタ１０は円筒状とされた金属製（例えば、亜鉛合金製）の外部導体１１を備え、その外周面にねじ部１２が形成されている。この入力コネクタ１０の中心導体（図示せず）は真鍮やリン青銅などの金属板を折り曲げ加工して金メッキを施すことにより作製されており、この中心導体は樹脂製の絶縁体１４（図６参照）に被覆されて円筒状の外部導体１１の略中心に圧入されている。この場合、中心導体の端子部１３ａ（図６参照）が端子本体２０内に突出し、同軸プラグの中心コンタクトが挿入される挿入口（図示せず）が入力コネクタ１０の外部側に向くように形成されている。そして、この入力コネクタ１０の外部導体１１は端子本体２０の一側部に一体的に形成されている。
【００２１】
端子本体２０は一側面が開口され、かつ略Ｌ字状の箱形に形成された金属製（例えば、亜鉛合金製）のケース２１と、このケース２１の開口部を覆う金属製（例えば、アルミニウム合金製）のカバー２２とから構成される。このケース２１の一側部には上述した入力コネクタ１０の外部導体１１が一体的に形成（例えば、ダイカストにより形成）されている。また、ケース２１の他側部の端部には鍔部２３が形成されており、この鍔部２３の中心部に六角形状の貫通孔２４が形成されている。そして、鍔部２３の両側には羽根部２３ａ，２３ａが形成されていて、後述する取付枠４０に取り付けられて回動（羽根部２３ａ，２３ａが端子本体２０の長辺側と平行の位置から＋３０°あるいは−３０°回動）された際に、この鍔部２３の羽根部２３ａ，２３ａの先端部が取付枠４０の対角線上の一対の突起部４４，４に当たるような長さに形成されている。
【００２２】
また、鍔部２３の内側（ケース２１の内側）の貫通孔２４の近傍には、図２（ｂ）の断面図に示すように、この貫通孔２４の周囲を囲うように突出壁２５が形成されている。この場合、突出壁２５の内壁面の角部が六角形状の貫通孔２４の相隣接する頂角の中間部（貫通孔２４の頂角から３０°の位置）に存在するように形成されている。そして、この貫通孔２４の端縁から突出壁２５に至るまでの平面が、後述する出力コネクタ３０の端部に形成された六角形状の取付座板３５を載置するための固定座２６となされている。
【００２３】
また、このケース２１内には、その厚み方向の中心部で、かつ入力コネクタ１０の端子部１３ａおよび後述する出力コネクタ３０の端子部３６ａが突出する位置に、図６に示すように、略Ｌ字状に形成されたプリント基板２７が配設されている。このプリント基板２７の幅方向の中心部には銅箔からなる配線パターン２７ａ，２７ｂが形成されている。そして、配線パターン２７ａと配線パターン２７ｂとの間には直流カット用コンデンサ２８が接続されている。そして、配線パターン２７ａに入力コネクタ１０の端子部１３ａが半田付けにより接続され、配線パターン２７ｂに出力コネクタ３０の端子部３６ａが半田付けにより接続されている。これにより、入力コネクタ１０と出力コネクタ３０との間の伝送線路はインピーダンス整合がとられることとなる。なお、入力コネクタ１０の端子部１３ａと配線パターン２７ａとの接続、出力コネクタ３０の端子部３６ａと配線パターン２７ｂとの接続は、半田付けに代えてバネコンタクトにより接続するようにしてもよい。
【００２４】
一方、出力コネクタ３０は円筒状とされた金属製（例えば、亜鉛合金製）の外部導体３１を備え、その外周面にねじ部３２が形成されている。また、外部導体３１の前側からは可動絶縁体３３が挿入されていて、外部導体３１から抜け出ないように係止されている。この可動絶縁体３３の前面には、エラストマーなどの柔軟な弾性材からなる閉塞体３４が一体的に嵌め込まれて固着されている。また、この外部導体３１の後部には外形形状が六角形でリング状の取付座板３５が配設されている。
【００２５】
さらに、この出力コネクタ３０の中心導体（図示せず）は真鍮やリン青銅などの金属板を折り曲げ加工して金メッキを施すことにより作製されている。そして、この中心導体は樹脂製の絶縁体３７に保持されていて、外部導体３１の略中心部に配設されている。この場合、絶縁体３７は外部導体３１の後部に配設された取付座板３５の開口部から圧入され、取付座板３５に形成されたかしめ部３８をかしめることにより、外部導体３１の中心部に固着されている。
【００２６】
なお、図示しないが、この出力コネクタ３０内には、可動絶縁体３３の端部にダミー抵抗を備えたスイッチ基板と、このスイッチ基板を押圧する弾性体が配設されている。これにより、この出力コネクタ３０に同軸プラグが装着された際に、同軸プラグの前面により可動絶縁体３３が押圧される。すると、可動絶縁体３３の後部に配置されたダミー抵抗を備えたスイッチ基板が弾性体からの弾性力に抗して後退するため、ダミー抵抗の接続が絶たれて終端が解除されるようになる。したがって、同軸プラグ装着時にインピーダンスのミスマッチングが生じないとともに、伝達すべき信号の減衰は生じないようになる。
【００２７】
一方、この出力コネクタ３０から同軸プラグが取り外された際には、同軸プラグの前面からの押圧力が解除されることにより、弾性体からの押圧力によりダミー抵抗を備えたスイッチ基板が弾性体の押圧方向に前進する。これにより、ダミー抵抗が接続されてダミー抵抗により自動的に終端されるようになる。したがって、この出力コネクタ３０が空き端子のままの状態としても、流合雑音などの障害が発生することが防止できようになる。なお、ダミー内蔵の同軸コネクターに関する詳細な説明が必要な場合は、本発明の発明者等の発明になる特許文献３を参照されたい。
【００２８】
取付枠４０は枠本体部４１と取付部４７とからなる。枠本体部４１の中央部には出力コネクタ３０が挿入される貫通孔４２が形成されており、この貫通孔４２の周囲の表面側には凹部４３（図６参照）が形成されていて、この凹部４３の底部４３ａは後述するナット５０の固定座となるようになされている。また、枠本体部４１の裏面側の４つの角部には羽根係止用突出部４４，４４，４４，４４が形成されている。これらの羽根係止用突出部４４，４４，４４，４４は、端子本体２０に形成された鍔部２３の両側に延出する羽根部２３ａ，２３ａを係止させるために設けられている。この場合、端子本体２０をこの取付枠４０に対して回動させた際に、羽根部２３ａ，２３ａの両端部が対角線上の一対の羽根係止用突出部４４，４４に当接するように設定されている。これにより、後述するように入力コネクタ１０の回動角度が−３０°〜＋３０°の範囲になるように規制される。
【００２９】
また、貫通孔４２の周囲の対角線上の位置に一対の切欠部４５，４５が枠本体部４１を貫通して設けられているとともに、枠本体部４１の裏面には、この切欠部４５，４５の周囲に端子台係止用突出部４６，４６が形成されている。この場合、図示しない端子台を取付枠４０の表面に配置し、この端子台に設けられた一対の係合突出部を切欠部４５，４５に位置合わせして、端子台に設けられた円筒状突出部の先端を貫通孔４２に挿入する。ついで、端子台を右方向に回転させると、端子台に設けられた一対の係合突出部が端子台係止用突出部４６，４６に当接し、端子台の端縁が枠本体部４１の端縁に一致する位置で固着されることとなる。なお、端子台の平面形状は長方形状であって、枠本体部４１の平面形状と同寸法となるように形成されている。
【００３０】
一方、枠本体部４１から両側に延出して取付部４７が形成されていて、この取付部４７から垂直に起立して立設部４８が設けられており、この立設部４８内に嵌合孔４９が形成されている。この場合、取付部４７は組み立てられたテレビ用アンテナ端子装置Ａをスイッチボックスなどに取り付けるために設けられている。そして、スイッチボックスに設けられた係止用突出部を立設部４８内に形成された嵌合孔４９に係止させることより、テレビ用アンテナ端子装置Ａがスイッチボックスに固着されるようになされている。
【００３１】
ナット５０は黄銅あるいは真鍮により形成されていて、出力コネクタ３０が装着された端子本体２０を取付枠４０に固着するために用いられる。この場合、端子本体２０を取付枠４０に回動可能に取り付けるために、このナット５０のねじ部の外周壁５１にＯ−リング５５を保持するための環状溝５２が形成されている。これにより、この環状溝５２内にＯ−リング５５を装着して、Ｏ−リング５５を環状溝５１に保持させる。この後、このナット５０を取付枠４０の貫通孔４２から突出して配置された出力コネクタ３０のねじ部３１に螺合させることにより、Ｏ−リング５５は貫通孔４２の周囲に形成された固定座となる凹部４３の底部４３ａの表面に密着することとなる。この場合、ナット５０の締め付け力に応じてＯ−リング５５の凹部４３の底部４３ａの表面への密着力を変化させることが可能となり、所望の抵抗感が得られるように端子本体２０を回動させることが可能となる。
【００３２】
ついで、上述のような構成となるテレビ用アンテナ端子装置の組み付け方を以下に説明する。まず、金属製ケース２１の鍔部２３の中心部に形成された貫通孔２４に、六角形状の取付座板３５が固着された出力コネクタ３０を取付座板３５側から挿入した。この場合、出力コネクタ３０の外部導体３１の前側からは可動絶縁体３３が、その前面に閉塞体３４が一体的に嵌め込まれていて、この可動絶縁体３３は外部導体３１から抜け出ないように係止されている。また、外部導体３１の後部に配設された取付座板３５の開口部から絶縁体３７に保持された中心導体が圧入されて外部導体３１の中心部に配設され、中心導体の端子部３６ａが取付座板３５から突出して配設されている。
【００３３】
ついで、出力コネクタ３０を約３０°だけ回転させた後、引っ張るようにして、六角形状の取付座板３５を鍔部２３の内側（ケース２１の内側）の貫通孔２４の近傍に形成された固定座２６に載置した。ついで、配線パターン２７ａ，２７ｂが形成され、かつ配線パターン２７ａと配線パターン２７ｂとの間に直流カット用コンデンサ２８が接続されたプリント基板２７を用意した後、このプリント基板２７を端子本体２０の金属製ケース２１の開口部から、出力コネクタ３０の中心導体の端子部３６ａの下をくぐらせるように挿入し、厚み方向の中央部の所定の位置に装着した。
【００３４】
ついで、この端子本体２０の一側部に一体的に形成された入力コネクタ１０の外部導体１１内に、中心導体が内部に被覆された樹脂製の絶縁体１４を挿入した。この場合、中心導体の端子部１３ａが配線パターン２７ａの真上の位置にくるように、端子本体２０内に突出するように圧入した。この後、配線パターン２７ａに入力コネクタ１０の端子部１３ａを半田付けするとともに、配線パターン２７ｂに出力コネクタ３０の端子部３６ａを半田付けした。ついで、金属製ケース２１の開口部に金属製カバー２２を載置した後、金属製カバー２２を金属製ケース２１にカシメあるいは圧入して、金属製ケース２１の開口部に金属製カバー２２を固着した。
【００３５】
ついで、取付枠４０の枠本体部４１の中央部に形成された貫通孔４２内に、取付枠４０の裏面から表面に向けて出力コネクタ３０を挿入した。この場合、端子本体２０の一側部に形成された入力コネクタ１０と取付枠４０の長辺側が直交するように、即ち、鍔部２３の両側に延出して形成された羽根部２３ａ，２３ａと取付枠４０の長辺側が平行になるように配置した。この後、出力コネクタ３０のねじ部３２に、環状溝５２内にＯ−リング５５が装着されたナット５０を螺合させて、枠本体部４１の表面側に形成された凹部４３内にナット５０を進入させて、Ｏ−リング５５が凹部４３の底部４３ａの表面に密着するようにナット５０を締め付けた。
【００３６】
これにより、図７（ａ）に示されるように、端子本体２０の鍔部２３の両側に延出して形成された羽根部２３ａ，２３ａと取付枠４０の長辺側が平行になるように、端子本体２０が取付枠４０の枠本体部４１に固着されることなる。この場合、Ｏ−リング５５の凹部４３の底部４３ａの表面にほどよく密着するようにナット５０の締め付け力を調整した。これにより、図６に示すように、取付枠４０に端子本体２０が回動可能に取り付けられたテレビ用アンテナ端子装置Ａが作製されることとなる。
【００３７】
ここで、図７（ａ）に示す位置から入力コネクタ１０を左方向に回動させると、鍔部２３の両側に延出する羽根部２３ａ，２３ａの両端部が、枠本体部４１の裏面側の４つの角部に形成された対角線上の一対の羽根係止用突出部４４，４４に当接して回動が停止する。これにより、図７（ｂ）に示されるように、端子本体２０の鍔部２３の両側に延出して形成された羽根部２３ａ，２３ａと取付枠４０の長辺側との角度が−３０°の位置で、端子本体２０が取付枠４０の枠本体部４１に固着されることなる。
【００３８】
また、図７（ａ）に示す位置から入力コネクタ１０を右方向に回動させると、鍔部２３の両側に延出する羽根部２３ａ，２３ａの両端部が、枠本体部４１の裏面側の４つの角部に形成された対角線上の一対の羽根係止用突出部４４，４４に当接して回動が停止する。これにより、図７（ｃ）に示されるように、端子本体２０の鍔部２３の両側に延出して形成された羽根部２３ａ，２３ａと取付枠４０の長辺側との角度が＋３０°の位置で、端子本体２０が取付枠４０の枠本体部４１に固着されることなる。
【００３９】
変形例
上述した実施の形態においては、端子本体２０の鍔部２３の中心部に形成される貫通孔２４の形状は六角形で、この貫通孔２４に挿通される出力コネクタ３０のリング状の取付座板３５の形状も六角形とする例について説明したが、これらの形状は六角形に限られることなく、三角形、四角形、五角形等の種々の多角形状とすることができる。図８、図９は四角形状とした場合の変形例を示しており、これらの図に基づいて変形例の端子本体および出力コネクタを説明するが、本発明においては、この変形例に限ることなく種々の多角形状を採用できることは明らかである。
【００４０】
図８に示すように、本変形例の端子本体７０のケース７１の一側部には入力コネクタ６０の外部導体６１が一体的に形成されている。また、ケース７１の他側部の端部には鍔部７３が形成されており、この鍔部７３の中心部に四角形状の貫通孔７４が形成されている。そして、鍔部７３の両側には羽根部７３ａ，７３ａが形成されていて、上述した取付枠４０に取り付けられて回動された際に、この鍔部７３の羽根部７３ａ，７３ａの端部が取付枠４０の対角線上の一対の突起部４４，４に当たるような長さに形成されている。
【００４１】
また、鍔部７３の内側の貫通孔７４の近傍には、図８（ｂ）の断面図に示すように、この貫通孔７４の周囲を囲うように突出壁７５が形成されている。この場合、突出壁７５の内壁面の角部が四角形状の貫通孔７４の相隣接する頂角の中間部（貫通孔７４の頂角から４５°の位置）に存在するように形成されている。そして、この貫通孔７４の端縁から突出壁７５に至るまでの平面が、出力コネクタ８０の端部に形成された四角形状の取付座板８５を載置するための固定座８６となされている。なお、このケース７１内には、上述したプリント基板２７が配設されている。
【００４２】
一方、図９に示すように、出力コネクタ８０は円筒状とされた金属製（例えば、亜鉛合金製）の外部導体８１を備え、その外周面にねじ部８２が形成されている。また、外部導体８１の前側からは可動絶縁体８３が挿入されていて、外部導体８１から抜け出ないように係止されている。この可動絶縁体８３の前面には、エラストマーなどの柔軟な弾性材からなる閉塞体８４が一体的に嵌め込まれて固着されている。また、この外部導体８１の後部には外形形状が四角形でリング状の取付座板８５が形成されている。
【００４３】
さらに、この出力コネクタ８０の中心導体（図示せず）は真鍮やリン青銅などの金属板を折り曲げ加工して金メッキを施すことにより作製されている。そして、この中心導体は樹脂製の絶縁体８７に保持されていて、外部導体８１の略中心部に配設されている。この場合、絶縁体８７は外部導体８１の後部に配設された取付座板８５の開口部から圧入され、取付座板８５に形成されたかしめ部８８をかしめることにより、外部導体８１の中心部に固着されている。
【図面の簡単な説明】
【００４４】
【図１】本発明のテレビ用アンテナ端子装置を示す分解斜視図である。
【図２】入力コネクタの外部導体も一体的に形成された端子本体を示す図であり、（ａ）はその正面図であり、（ｂ）は（ａ）のＡ−Ａ断面を示す断面図であり、（ｃ）はその左側面図である。
【図３】出力コネクタを示す図であり、（ａ）はその正面図であり、（ｂ）はその右側面図であり、（ｃ）はその左側面図である。
【図４】取付枠を示す図であり、（ａ）はその正面図であり、（ｂ）はその右側面図であり、（ｃ）はその左側面図であり、（ｄ）はその上面図であり、（ｅ）はその下面図であり、（ｆ）はその裏面図である。
【図５】出力コネクタを取付枠に取り付けるためのナットを示す図であり、（ａ）はその正面図であり、（ｂ）はその右側面図であり、（ｃ）はその左側面図であり、（ｄ）はその上面図であり、（ｅ）はその下面図であり、（ｆ）はその裏面図である。
【図６】出力コネクタが固着された端子本体が取付枠に取り付けられその一部が破断した状態を示す図である。
【図７】取付枠に取り付けられた端子本体が回動しする様子を示す図であり、（ａ）は入力コネクタの軸心が取付枠の長さ方向に対して垂直に取り付けられた状態を示す正面図であり、（ｂ）は入力コネクタの軸心が取付枠の長さ方向に対して＋３０°だけ回動した状態を示す正面図であり、（ｃ）は入力コネクタの軸心が取付枠の長さ方向に対して−３０°だけ回動した状態を示す正面図である。
【図８】変形例の入力コネクタの外部導体も一体的に形成された端子本体を示す図であり、（ａ）はその正面図であり、（ｂ）は（ａ）のＢ−Ｂ断面を示す断面図であり、（ｃ）はその左側面図である。
【図９】変形例の出力コネクタを示す図であり、（ａ）はその正面図であり、（ｂ）はその右側面図であり、（ｃ）はその左側面図である。
【図１０】従来例のテレビ用アンテナ端子装置を示す斜視図である。
【図１１】図１０のテレビ用アンテナ端子装置をスイッチボックスに取り付けた状態を示す正面図である。
【図１２】従来例の他のテレビ用アンテナ端子装置を示す分解斜視図である。
【符号の説明】
【００４５】
Ａ…テレビ用アンテナ端子装置、１０…入力コネクタ、１１…外部導体、１２…ねじ部、１３ａ…端子部、１４…絶縁体、２０…端子本体、２１…ケース、２２…カバー、２３…鍔部、２３ａ…羽根部、２４…貫通孔、２５…突出壁、２６…固定座、２７…プリント基板、２７ａ…配線パターン、２７ｂ…配線パターン、２８…直流カット用コンデンサ、３０…出力コネクタ、３１…外部導体、３２…ねじ部、３３…可動絶縁体、３４…閉塞体、３５…取付座板、３６ａ…端子部、３７…絶縁体、４０…取付枠、４１…枠本体部、４２…貫通孔、４３…凹部、４３ａ…凹部の底部、４４…羽根係止用突出部、４５…切欠部、４６…端子台係止用突出部、４７…取付部、４８…立設部、４９…嵌合孔、５０…ナット、５１…ねじ部外周壁、５２…環状溝、５５…Ｏ−リング、６０…入力コネクタ、６１…外部導体、７０…端子本体、７１…ケース、７３…鍔部、７３ａ…羽根部、７４…貫通孔、７５…突出壁、８０…出力コネクタ、８１…外部導体、８２…ねじ部、８３…可動絶縁体、８４…閉塞体、８５…取付座板、８６…固定座、８７…絶縁体、８８…かしめ部
【図１】
2005222804.tif 000003
【図２】
2005222804.tif 000004
【図３】
2005222804.tif 000005
【図４】
2005222804.tif 000006
【図５】
2005222804.tif 000007
【図６】
2005222804.tif 000008
【図７】
2005222804.tif 000009
【図８】
2005222804.tif 000010
【図９】
2005222804.tif 000011
【図１０】
2005222804.tif 000012
【図１１】
2005222804.tif 000013
【図１２】
2005222804.tif 000014